(57)【要約】【課題】印刷装置の本体部から取り外された状態において、巻取ロールに巻回されたインクリボンの略全体を覆う巻取側カバー部から使用済みのインクリボンを引き出すことが従来よりも難しくなるインクリボンカセットを提供する。【解決手段】インクリボンカセット２６は、巻取ロール５と、巻取ロール５に巻回されたインクリボン３の略全体を覆うカバー部３７ｂを有するケース体３６とを備えている。カバー部３７ｂからインクリボン３が引き出される方向をリボン巻戻し方向とすると、このインクリボンカセット２６は、巻取ロール５の軸方向の一端側に設けられ少なくともリボン巻戻し方向への巻取ロール５の回転を防止する回転防止機構４６と、巻取ロール５の軸方向の他端側に設けられ少なくともリボン巻戻し方向への巻取ロール５の回転を防止する回転防止機構４７と、巻取ロール５をその軸方向の一端側へ付勢する付勢部材４４とを備えている。【選択図】図１０
2014104743.tif 000002
【特許請求の範囲】
【請求項１】
インクリボンが巻回される供給ロールと、前記供給ロールから供給された前記インクリボンが巻き取られる巻取ロールと、前記巻取ロールに巻回された前記インクリボンの略全体を覆う巻取側カバー部を有し前記巻取ロールが収容されるケース体とを備えるとともに、
前記巻取ロールが前記インクリボンを巻き取る方向をリボン巻取方向とし、前記供給ロールが前記インクリボンを巻き取る方向をリボン巻戻し方向とすると、
前記巻取ロールの軸方向の一端側に設けられ少なくとも前記リボン巻戻し方向への前記巻取ロールの回転を防止する第１回転防止機構と、前記巻取ロールの軸方向の他端側に設けられ少なくとも前記リボン巻戻し方向への前記巻取ロールの回転を防止する第２回転防止機構と、前記巻取ロールをその軸方向の一端側へ付勢する第１付勢部材とを備え、
前記第１回転防止機構は、前記巻取ロール側に設けられる第１ロール側係合部と、前記ケース体側に設けられ前記第１ロール側係合部に係合して少なくとも前記リボン巻戻し方向への前記巻取ロールの回転を防止する第１ケース側係合部とを備え、
前記第２回転防止機構は、前記巻取ロール側に設けられる第２ロール側係合部と、前記ケース体側に設けられ前記第２ロール側係合部に係合して少なくとも前記リボン巻戻し方向への前記巻取ロールの回転を防止する第２ケース側係合部とを備え、
前記第１ロール側係合部と前記第１ケース側係合部とが係合している状態を第１係合状態とし、前記第１ロール側係合部と前記第１ケース側係合部との係合が解除されている状態を第１係合解除状態とし、前記第２ロール側係合部と前記第２ケース側係合部とが係合している状態を第２係合状態とし、前記第２ロール側係合部と前記第２ケース側係合部との係合が解除されている状態を第２係合解除状態とすると、
前記第１付勢部材の付勢力で、前記第１係合状態および前記第２係合解除状態が維持されて、少なくとも前記リボン巻戻し方向への前記巻取ロールの回転が防止され、
前記第１付勢部材の付勢力に抗して前記巻取ロールがその軸方向の他端側へ移動すると、前記第１係合解除状態および前記第２係合解除状態となって前記リボン巻取方向および前記リボン巻戻し方向への前記巻取ロールの回転が可能になる第１状態と、前記第１係合解除状態および前記第２係合状態となって少なくとも前記リボン巻戻し方向への前記巻取ロールの回転が防止される第２状態とに切り替わることを特徴とするインクリボンカセット。
【請求項２】
前記第１回転防止機構は、ラチェット機構であり、
前記第１付勢部材の付勢力で、前記第１係合状態および前記第２係合解除状態が維持されているときに、前記リボン巻取方向への前記巻取ロールの回転が可能となっていることを特徴とする請求項１記載のインクリボンカセット。
【請求項３】
前記供給ロールの軸方向の一端側に設けられ少なくとも前記リボン巻取方向への前記供給ロールの回転を防止する第３回転防止機構と、前記供給ロールの軸方向の他端側に設けられ少なくとも前記リボン巻取方向への前記供給ロールの回転を防止する第４回転防止機構と、前記供給ロールをその軸方向の一端側へ付勢する第２付勢部材とを備え、
前記ケース体は、前記供給ロールに巻回された前記インクリボンの略全体を覆う供給側カバー部を有し、
前記供給ロールは、前記ケース体に収容され、
前記第３回転防止機構は、前記供給ロール側に設けられる第３ロール側係合部と、前記ケース体側に設けられ前記第３ロール側係合部に係合して少なくとも前記リボン巻取方向への前記供給ロールの回転を防止する第３ケース側係合部とを備え、
前記第４回転防止機構は、前記供給ロール側に設けられる第４ロール側係合部と、前記ケース体側に設けられ前記第４ロール側係合部に係合して少なくとも前記リボン巻取方向への前記供給ロールの回転を防止する第４ケース側係合部とを備え、
前記第３ロール側係合部と前記第３ケース側係合部とが係合している状態を第３係合状態とし、前記第３ロール側係合部と前記第３ケース側係合部との係合が解除されている状態を第３係合解除状態とし、前記第４ロール側係合部と前記第４ケース側係合部とが係合している状態を第４係合状態とし、前記第４ロール側係合部と前記第４ケース側係合部との係合が解除されている状態を第４係合解除状態とすると、
前記第２付勢部材の付勢力で、前記第３係合状態および前記第４係合解除状態が維持されて、少なくとも前記リボン巻取方向への前記供給ロールの回転が防止され、
前記第２付勢部材の付勢力に抗して前記供給ロールがその軸方向の他端側へ移動すると、前記第３係合解除状態および前記第４係合解除状態となって前記リボン巻取方向および前記リボン巻戻し方向への前記供給ロールの回転が可能となる第３状態と、前記第３係合解除状態および前記第４係合状態となって少なくとも前記リボン巻取方向への前記供給ロールの回転が防止される第４状態とに切り替わることを特徴とする請求項１または２記載のインクリボンカセット。
【請求項４】
請求項１から３のいずれかに記載のインクリボンカセットと、前記インクリボンカセットが着脱可能に取り付けられるカートリッジ本体部とを備え、
前記カートリッジ本体部は、前記巻取ロールの軸方向の一端側から前記巻取ロールに係合して前記巻取ロールを回転させるための巻取側係合部を備え、
前記インクリボンカセットが前記カートリッジ本体部に取り付けられて、前記巻取側係合部が前記巻取ロールに係合すると、前記インクリボンカセットは、前記第１状態になることを特徴とするインクリボンカートリッジ。
【請求項５】
前記カートリッジ本体部は、少なくとも前記リボン巻戻し方向への前記巻取ロールの回転を防止する第５回転防止機構を備えることを特徴とする請求項４記載のインクリボンカートリッジ。
【請求項６】
請求項３記載のインクリボンカセットと、前記インクリボンカセットが着脱可能に取り付けられるカートリッジ本体部とを備え、
前記カートリッジ本体部は、前記供給ロールの軸方向の一端側から前記供給ロールに係合して前記供給ロールを回転させるための供給側係合部を備え、
前記インクリボンカセットが前記カートリッジ本体部に取り付けられて、前記供給側係合部が前記供給ロールに係合すると、前記インクリボンカセットは、前記第３状態になることを特徴とするインクリボンカートリッジ。
【請求項７】
請求項４から６のいずれかに記載のインクリボンカートリッジと、前記インクリボンカートリッジが着脱可能に取り付けられる本体部とを備え、
前記本体部は、印刷媒体が搬送される媒体搬送路と、前記供給ロールから供給される前記インクリボンを加熱して前記媒体搬送路を通過する前記印刷媒体に前記インクリボンのインクを転写して印刷するサーマルヘッドとを備えることを特徴とする印刷装置。
【発明の詳細な説明】
【技術分野】
【０００１】
本発明は、インクリボンが巻回される供給ロールおよび巻取ロールを備えるインクリボンカセットに関する。また、本発明は、このインクリボンカセットを備えるインクリボンカートリッジ、および、このインクリボンカートリッジを備える印刷装置に関する。
【背景技術】
【０００２】
従来、カード搬送路で搬送されるカードに加熱されたインクリボンのインクを転写して印字を行う熱転写方式の印字装置が知られている（たとえば、特許文献１参照）。特許文献１に記載の印字装置は、インクリボンを供給する供給ロールおよびインクリボンを巻き取る巻取ロールを有するインクリボンカートリッジと、インクリボンカートリッジが着脱可能に取り付けられる本体部とを備えている。この印字装置では、インクリボンカートリッジは、巻取ロールを覆うカバーを備えておらず、本体部から取り外された状態のインクリボンカートリッジでは、巻取ロールに巻回された使用済みのインクリボンは外部に露出している。
【０００３】
特許文献１に記載の印字装置のような熱転写型の印刷装置では、カードに印刷される画像と同じ形のインクがインクリボンから剥離されるため、印刷後のインクリボン（使用済みのインクリボン）には、カードに印刷された画像と同じ形のインクの剥離跡が残る。したがって、この剥離跡を見れば、カードに印刷された画像を容易に知ることが可能である。そのため、本体部から取り外された状態のインクリボンカートリッジにおいて、巻取ロールに巻回された使用済みのインクリボンが外部に露出していることは、セキュリティー上好ましくない。そこで、インクリボンカートリッジが本体部から取り外された状態であっても、巻取ロールに巻回された使用済みのインクリボンが外部に露出しないように収容されるカートリッジ本体を有するインクリボンカートリッジが提案されている（たとえば、特許文献２参照）。
【０００４】
また、インクリボンカートリッジが本体部から取り外された状態において、使用済みのインクリボンが外部に露出していなくても、巻取ロールに巻回された使用済みのインクリボンをカートリッジ本体から容易に引き出すことができると、カードに印刷された画像を容易に知ることが可能になる。そのため、特許文献２に記載のインクリボンカートリッジは、本体部から取り外された状態であっても、巻取ロールに巻回された使用済みのインクリボンをカートリッジ本体から容易に引き出すことができないように構成されている。
【０００５】
具体的には、このインクリボンカートリッジでは、円筒状に形成される巻取ロールの内周面に複数のリブが形成されており、巻取ロールの軸方向におけるリブの一端部には、巻取ロールの回転方向の一方に向かって傾斜する傾斜部が形成されている。また、このインクリボンカートリッジは、巻取ロールに軸心に沿ってカートリッジ本体に対して相対移動可能な逆転防止部材と、逆転防止部材を巻取ロールに向かって付勢する付勢部材とを備えている。逆転防止部材には、巻取ロールのリブに形成される傾斜部の傾斜方向と同方向へ傾斜する対向傾斜部が形成されている。
【０００６】
このインクリボンカートリッジでは、インクリボンカートリッジが印刷装置の本体部に取り付けられていないときには、付勢部材の付勢力で、巻取ロールの傾斜部と逆転防止部材の対向傾斜部とが係合しており、インクリボンを巻き取る方向への巻取ロールの回転のみが可能となっている。また、このインクリボンカートリッジでは、インクリボンカートリッジが印刷装置の本体部に取り付けられると、本体部を構成する回転軸の先端部によって、逆転防止部材が押されて、巻取ロールの傾斜部と逆転防止部材の対向傾斜部との係合状態が解除され、巻取ロールの両方向への回転が可能になる。
【０００７】
このように、特許文献２に記載のインクリボンカートリッジでは、回転軸の先端部で逆転防止部材を押して、巻取ロールの傾斜部と逆転防止部材の対向傾斜部との係合状態を解除しないと、巻取ロールからインクリボンを引き出す方向への巻取ロールの回転が可能にならないため、インクリボンカートリッジが本体部から取り外された状態であっても、巻取ロールに巻回された使用済みのインクリボンをカートリッジ本体から容易に引き出すことはできない。
【先行技術文献】
【特許文献】
【０００８】
【特許文献１】特開２００８−１０５２９１号公報
【特許文献２】特開２００４−２４３７２７号公報
【発明の概要】
【発明が解決しようとする課題】
【０００９】
しかしながら、特許文献２に記載のインクリボンカートリッジでは、回転軸の代わりになる所定の部材によって逆転防止部材を押して、巻取ロールの傾斜部と逆転防止部材の対向傾斜部との係合状態を解除すれば、本体部から取り外された状態のインクリボンカートリッジにおいて、巻取ロールに巻回された使用済みのインクリボンをカートリッジ本体から引き出すことが可能になる。そのため、このインクリボンカートリッジのセキュリティー性は高いとはいえない。
【００１０】
そこで、本発明の課題は、印刷装置の本体部から取り外された状態において、巻取ロールに巻回されたインクリボンの略全体を覆う巻取側カバー部から使用済みのインクリボンを引き出すことが従来よりも難しくなるインクリボンカセットを提供することにある。また、本発明の課題は、このインクリボンカセットを備えるインクリボンカートリッジ、および、このインクリボンカートリッジを備える印刷装置を提供することにある。
【課題を解決するための手段】
【００１１】
上記の課題を解決するため、本発明のインクリボンカセットは、インクリボンが巻回される供給ロールと、供給ロールから供給されたインクリボンが巻き取られる巻取ロールと、巻取ロールに巻回されたインクリボンの略全体を覆う巻取側カバー部を有し巻取ロールが収容されるケース体とを備えるとともに、巻取ロールがインクリボンを巻き取る方向をリボン巻取方向とし、供給ロールがインクリボンを巻き取る方向をリボン巻戻し方向とすると、巻取ロールの軸方向の一端側に設けられ少なくともリボン巻戻し方向への巻取ロールの回転を防止する第１回転防止機構と、巻取ロールの軸方向の他端側に設けられ少なくともリボン巻戻し方向への巻取ロールの回転を防止する第２回転防止機構と、巻取ロールをその軸方向の一端側へ付勢する第１付勢部材とを備え、第１回転防止機構は、巻取ロール側に設けられる第１ロール側係合部と、ケース体側に設けられ第１ロール側係合部に係合して少なくともリボン巻戻し方向への巻取ロールの回転を防止する第１ケース側係合部とを備え、第２回転防止機構は、巻取ロール側に設けられる第２ロール側係合部と、ケース体側に設けられ第２ロール側係合部に係合して少なくともリボン巻戻し方向への巻取ロールの回転を防止する第２ケース側係合部とを備え、第１ロール側係合部と第１ケース側係合部とが係合している状態を第１係合状態とし、第１ロール側係合部と第１ケース側係合部との係合が解除されている状態を第１係合解除状態とし、第２ロール側係合部と第２ケース側係合部とが係合している状態を第２係合状態とし、第２ロール側係合部と第２ケース側係合部との係合が解除されている状態を第２係合解除状態とすると、第１付勢部材の付勢力で、第１係合状態および第２係合解除状態が維持されて、少なくともリボン巻戻し方向への巻取ロールの回転が防止され、第１付勢部材の付勢力に抗して巻取ロールがその軸方向の他端側へ移動すると、第１係合解除状態および第２係合解除状態となってリボン巻取方向およびリボン巻戻し方向への巻取ロールの回転が可能になる第１状態と、第１係合解除状態および第２係合状態となって少なくともリボン巻戻し方向への巻取ロールの回転が防止される第２状態とに切り替わることを特徴とする。
【００１２】
本発明のインクリボンカセットでは、巻取ロールの軸方向の一端側に設けられる第１回転防止機構は、巻取ロール側に設けられる第１ロール側係合部と、ケース体側に設けられ第１ロール側係合部に係合して少なくともリボン巻戻し方向への巻取ロールの回転を防止する第１ケース側係合部とを備え、巻取ロールの軸方向の他端側に設けられる第２回転防止機構は、巻取ロール側に設けられる第２ロール側係合部と、ケース体側に設けられ第２ロール側係合部に係合して少なくともリボン巻戻し方向への巻取ロールの回転を防止する第２ケース側係合部とを備えている。また、本発明のインクリボンカセットでは、第１付勢部材の付勢力によって、第１ロール側係合部と第１ケース側係合部とが係合している第１係合状態が維持されるとともに、第２ロール側係合部と第２ケース側係合部との係合が解除されている第２係合解除状態が維持されている。そのため、本発明では、インクリボンカセットが取り付けられる印刷装置の本体部からインクリボンカセットが取り外されたときには、第１付勢部材の付勢力によって、第１ロール側係合部と第１ケース側係合部とが係合しており、巻取側カバー部の中から巻取ロールに巻回された使用済みのインクリボンを引き出すことはできない。
【００１３】
また、本発明では、第１付勢部材の付勢力に抗して巻取ロールがその軸方向の他端側へ移動すると、第１係合解除状態および第２係合解除状態となってリボン巻取方向およびリボン巻戻し方向への巻取ロールの回転が可能になる第１状態と、第１係合解除状態および第２係合状態となって少なくともリボン巻戻し方向への巻取ロールの回転が防止される第２状態とに切り替わる。そのため、本発明では、印刷装置の本体部からインクリボンカセットが取り外されたときに、所定の部材を用いて巻取ロールをその軸方向の他端側へ移動させても、第１状態となるように巻取ロールを移動させなければ、巻取側カバー部の中から巻取ロールに巻回された使用済みのインクリボンを引き出すことができない。したがって、本発明では、インクリボンカセットが印刷装置の本体部から取り外された状態において、巻取側カバー部の中から巻取ロールに巻回された使用済みのインクリボンを引き出すことが従来よりも難しくなる。その結果、本形態では、従来よりもセキュリティー性を高めることが可能になる。
【００１４】
本発明において、第１回転防止機構は、ラチェット機構であり、第１付勢部材の付勢力で、第１係合状態および第２係合解除状態が維持されているときに、リボン巻取方向への巻取ロールの回転が可能となっていることが好ましい。このように構成すると、供給ロールと巻取ロールとの間でインクリボンが何らかの原因でたるんでも、リボン巻取方向へ巻取ロールを回転させて、インクリボンのたるみを解消することが可能になる。
【００１５】
本発明において、インクリボンカセットは、供給ロールの軸方向の一端側に設けられ少なくともリボン巻取方向への供給ロールの回転を防止する第３回転防止機構と、供給ロールの軸方向の他端側に設けられ少なくともリボン巻取方向への供給ロールの回転を防止する第４回転防止機構と、供給ロールをその軸方向の一端側へ付勢する第２付勢部材とを備え、ケース体は、供給ロールに巻回されたインクリボンの略全体を覆う供給側カバー部を有し、供給ロールは、ケース体に収容され、第３回転防止機構は、供給ロール側に設けられる第３ロール側係合部と、ケース体側に設けられ第３ロール側係合部に係合して少なくともリボン巻取方向への供給ロールの回転を防止する第３ケース側係合部とを備え、第４回転防止機構は、供給ロール側に設けられる第４ロール側係合部と、ケース体側に設けられ第４ロール側係合部に係合して少なくともリボン巻取方向への供給ロールの回転を防止する第４ケース側係合部とを備え、第３ロール側係合部と第３ケース側係合部とが係合している状態を第３係合状態とし、第３ロール側係合部と第３ケース側係合部との係合が解除されている状態を第３係合解除状態とし、第４ロール側係合部と第４ケース側係合部とが係合している状態を第４係合状態とし、第４ロール側係合部と第４ケース側係合部との係合が解除されている状態を第４係合解除状態とすると、第２付勢部材の付勢力で、第３係合状態および第４係合解除状態が維持されて、少なくともリボン巻取方向への供給ロールの回転が防止され、第２付勢部材の付勢力に抗して供給ロールがその軸方向の他端側へ移動すると、第３係合解除状態および第４係合解除状態となってリボン巻取方向およびリボン巻戻し方向への供給ロールの回転が可能となる第３状態と、第３係合解除状態および第４係合状態となって少なくともリボン巻取方向への供給ロールの回転が防止される第４状態とに切り替わることが好ましい。
【００１６】
このように構成すると、インクリボンカセットが取り付けられる印刷装置の本体部からインクリボンカセットが取り外されたときには、第２付勢部材の付勢力によって、第３ロール側係合部と第３ケース側係合部とが係合しており、供給側カバー部の中から供給ロールに巻回されたインクリボンを引き出すことはできない。したがって、本体部からインクリボンカセットが取り外されたときのインクリボンのたるみを防止することが可能になる。また、このように構成すると、インクリボンカセットの供給ロール側の構成部品と巻取ロール側の構成部品とを共通にすることが可能になる。したがって、インクリボンカセットを構成する部品の種類を低減することが可能になる。
【００１７】
本発明のインクリボンカセットは、このインクリボンカセットが着脱可能に取り付けられるカートリッジ本体部を備えるインクリボンカートリッジに用いることができる。このインクリボンカートリッジでは、たとえば、カートリッジ本体部は、巻取ロールの軸方向の一端側から巻取ロールに係合して巻取ロールを回転させるための巻取側係合部を備え、インクリボンカセットがカートリッジ本体部に取り付けられて、巻取側係合部が巻取ロールに係合すると、インクリボンカセットは、第１状態になる。
【００１８】
このインクリボンカートリッジでは、インクリボンカセットがカートリッジ本体部から取り外された状態において、巻取側カバー部の中から巻取ロールに巻回された使用済みのインクリボンを引き出すことが従来よりも難しくなる。また、このインクリボンカートリッジでは、インクリボンカセットをカートリッジ本体部に取り付けることで、自動的に、リボン巻取方向およびリボン巻戻し方向への巻取ロールの回転が可能な第１状態にすることができる。また、このインクリボンカートリッジでは、巻取ロールを回転させるための巻取側係合部を用いて、リボン巻取方向およびリボン巻戻し方向への巻取ロールの回転が可能な第１状態にすることができるため、この第１状態にするための部材を別途、設ける必要がなくなる。したがって、インクリボンカートリッジの構成を簡素化することが可能になる。
【００１９】
本発明において、カートリッジ本体部は、少なくともリボン巻戻し方向への巻取ロールの回転を防止する第５回転防止機構を備えることが好ましい。このように構成すると、インクリボンカセットをカートリッジ本体部に取り付けることで、自動的に、リボン巻取方向およびリボン巻戻し方向への巻取ロールの回転が可能な第１状態になるとしても、巻取側カバー部の中から巻取ロールに巻回された使用済みのインクリボンが引き出されるのを防止することが可能になる。すなわち、インクリボンカセットがカートリッジ本体部に取り付けられた状態であっても、巻取側カバー部の中から使用済みのインクリボンが引き出されるのを防止することが可能になる。
【００２０】
本発明のインクリボンカセットは、このインクリボンカセットが着脱可能に取り付けられるカートリッジ本体部を備えるインクリボンカートリッジに用いることができる。このインクリボンカートリッジでは、たとえば、カートリッジ本体部は、供給ロールの軸方向の一端側から供給ロールに係合して供給ロールを回転させるための供給側係合部を備え、インクリボンカセットがカートリッジ本体部に取り付けられて、供給側係合部が供給ロールに係合すると、インクリボンカセットは、第３状態になる。
【００２１】
このインクリボンカートリッジでは、インクリボンカセットがカートリッジ本体部から取り外された状態において、巻取側カバー部の中から巻取ロールに巻回された使用済みのインクリボンを引き出すことが従来よりも難しくなる。また、このインクリボンカートリッジでは、インクリボンカセットをカートリッジ本体部に取り付けることで、自動的に、リボン巻取方向およびリボン巻戻し方向への供給ロールの回転が可能な第３状態にすることができる。また、このインクリボンカートリッジでは、供給ロールを回転させるための供給側係合部を用いて、リボン巻取方向およびリボン巻戻し方向への供給ロールの回転が可能な第３状態にすることができるため、この第３状態にするための部材を別途、設ける必要がなくなる。したがって、インクリボンカートリッジの構成を簡素化することが可能になる。
【００２２】
本発明のインクリボンカセットを備えるインクリボンカートリッジは、インクリボンカートリッジが着脱可能に取り付けられる本体部を備える印刷装置に用いることができる。この印刷装置では、本体部は、印刷媒体が搬送される媒体搬送路と、供給ロールから供給されるインクリボンを加熱して媒体搬送路を通過する印刷媒体にインクリボンのインクを転写して印刷するサーマルヘッドとを備えている。この印刷装置では、インクリボンカセットがカートリッジ本体部から取り外された状態において、巻取側カバー部の中から巻取ロールに巻回された使用済みのインクリボンを引き出すことが従来よりも難しくなる。
【発明の効果】
【００２３】
以上説明したように、本発明では、印刷装置の本体部やカートリッジ本体部からインクリボンカセットが取り外された状態において、巻取側カバー部から使用済みのインクリボンを引き出すことが従来よりも難しくなる。
【図面の簡単な説明】
【００２４】
【図１】本発明の実施の形態にかかる印刷装置の斜視図である。
【図２】図１に示す印刷装置からインクリボンカートリッジを取り外したときの斜視図である。
【図３】図１に示すインクリボンカートリッジの分解斜視図である。
【図４】図１に示す印刷装置の内部構成を側面から説明するための図である。
【図５】図４に示すインクリボンの一部の平面図である。
【図６】図３に示すインクリボンカセットを別の角度から示す斜視図である。
【図７】図６に示すインクリボンカセットの分解斜視図である。
【図８】図７のＥ部の拡大図である。
【図９】図７のＦ部の拡大図である。
【図１０】図６のＧ−Ｇ断面の断面図である。
【図１１】図１０に示す巻取ロールが圧縮コイルバネの付勢力に抗して移動したときの状態を説明するための断面図である。
【図１２】図３に示すカートリッジ本体部の構成を側面から説明するための図である。
【図１３】図３に示すカートリッジ本体部の構成を説明するための断面図である。
【図１４】図３に示すカートリッジ本体部にインクリボンカセットが取り付けられたときの巻取ロールの周辺部分の状態を説明するための断面図である。
【図１５】（Ａ）は、図１に示すカートリッジが第２筺体に搭載されたときの状態を説明するための図であり、（Ｂ）は、（Ａ）のＨ部の拡大図である。
【図１６】（Ａ）は、図１に示すカートリッジが筺体に取り付けられたときの状態を説明するための図であり、（Ｂ）は、（Ａ）のＪ部の拡大図である。
【図１７】図１２に示す回転部材および引張りコイルバネの作用を説明するための図である。
【図１８】（Ａ）は、図５に示すインクリボンの検知機構の構成を側面から説明するための図であり、（Ｂ）は、（Ａ）のＫ−Ｋ方向から検知機構を示す図である。
【発明を実施するための形態】
【００２５】
以下、図面を参照しながら、本発明の実施の形態を説明する。
【００２６】
（印刷装置の概略構成）
図１は、本発明の実施の形態にかかる印刷装置１の斜視図である。図２は、図１に示す印刷装置１からインクリボンカートリッジ６を取り外したときの斜視図である。図３は、図１に示すインクリボンカートリッジ６の分解斜視図である。図４は、図１に示す印刷装置１の内部構成を側面から説明するための図である。図５は、図４に示すインクリボン３の一部の平面図である。
【００２７】
本形態の印刷装置１は、印刷媒体であるカード２（図４参照）に対して文字、記号および図形等の画像を印刷するための装置である。具体的には、印刷装置１は、帯状のフィルムにインクが塗布されて形成されたインクリボン３を使い、インクリボン３のインクを加熱することで、インクリボン３のインクをカード２に転写して印刷する熱転写方式の印刷装置である。この印刷装置１は、たとえば、カード発行装置等の上位装置に搭載されて使用される。
【００２８】
印刷装置１は、図４に示すように、インクリボン３が巻回される供給ロール４および巻取ロール５を有するインクリボンカートリッジ６（以下、「カートリッジ６」とする。）と、カートリッジ６が着脱可能に取り付けられる本体部７とから構成されている。また、印刷装置１は、カード２を搬送するカード搬送機構８と、インクリボン３を加熱してカード２にインクリボン３のインクを転写し印刷するサーマルヘッド９と、供給ロール４と巻取ロール５との間でインクリボン３を送るリボン送り機構１０とを備えている。
【００２９】
カード２は、たとえば、厚さが０．７〜０．８ｍｍ程度の塩化ビニール製のカードであり、略長方形状に形成されている。このカード２の表面には、たとえば、磁気データが記録される磁気ストライプが形成されている。なお、カード２の内部に、ＩＣチップや通信用のアンテナが内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００３０】
インクリボン３は、図５に示すように、カード２に転写されるインクの層であるインク層が形成されるインク領域３ａと、カード２に転写されたインクの表面を覆うオーバーコート材の層であるオーバーコート層が形成されるオーバーコート領域３ｂとを備えている。インク領域３ａとオーバーコート領域３ｂとは、帯状に形成されるインクリボン３の長手方向において、交互に配列されている。インクリボン３の長手方向におけるインク領域３ａの幅とオーバーコート領域３ｂの幅とは略等しくなっている。また、インクリボン３の長手方向におけるインク領域３ａの幅およびオーバーコート領域３ｂの幅は、カード２の長手方向の幅と略等しくなっている。
【００３１】
本形態では、１つのインク領域３ａと１つのオーバーコート領域３ｂとによって、１枚のカード２に印刷が行われる。すなわち、本形態では、１つのインク領域３ａと１つのオーバーコート領域３ｂとによって、１枚のカード２の印刷に要するインクリボン３の領域である１画面領域３ｃが構成されている。また、本形態のインクリボン３は、単色（たとえば、黒色）の印刷のみが可能なものである。
【００３２】
以下の説明では、図１において互いに直交する３方向のそれぞれをＸ方向、Ｙ方向およびＺ方向とする。また、Ｘ方向を「前後方向」、Ｙ方向を「左右方向」、Ｚ方向を「上下方向」とし、Ｘ１方向側を「前」側、Ｘ２方向側を「後（後ろ）」側、Ｙ１方向側を「左」側、Ｙ２方向側を「右」側、Ｚ１方向側を「上」側、Ｚ２方向側を「下」側とする。また、図４における時計回りの方向を「時計方向」とし、図４における反時計回りの方向を「反時計方向」とする。本形態では、略長方形状に形成されるカード２の長手方向が前後方向（Ｘ方向）と略一致するように、かつ、カード２の厚み方向が上下方向（Ｚ方向）と略一致するように、カード２は、カード搬送機構８によって、前から後ろに向かって搬送される。
【００３３】
本体部７は、上側に配置される第１筺体１３と、下側に配置される第２筺体１４とから構成される筺体１５を備えている。第２筺体１４の前上端側には、左右方向を軸方向として配置される軸１６（図２、図４参照）が取り付けられている。第１筺体１３の前端側は、軸１６に回動可能に保持されており、第１筺体１３は、軸１６を中心に第２筺体１４に対して、図１に示す状態から反時計方向（図４における反時計方向）へ回動可能となっている。図１に示す状態から軸１６を中心に第１筺体１３を反時計方向へ回動させると、筺体１５から上側に向かってカートリッジ６を取り出すことが可能になる。また、図２に示す状態で、第２筺体１４に上側からカートリッジ６を搭載し、第１筺体１３を時計方向へ回動させてカートリッジ６を上側から覆うと、筺体１５にカートリッジ６が取り付けられる。
【００３４】
カード搬送機構８およびサーマルヘッド９は、筺体１５に取り付けられている。すなわち、本体部７は、カード搬送機構８およびサーマルヘッド９を備えている。また、本体部７の内部には、カード２が搬送される媒体搬送路としてのカード搬送路１７が形成されている。カード搬送路１７は、前後方向で印刷装置１を貫通するように、かつ、直線状に形成されている。
【００３５】
カード搬送機構８は、カード２に当接してカード２を搬送する複数のカード搬送ローラ１９と、カード搬送ローラ１９に対向配置されるパッドローラ２０とを備えている。カード搬送ローラ１９は、下側からカード搬送路１７に臨むように配置されている。複数のカード搬送ローラ１９は、プーリやタイミングベルト等から構成される動力伝達機構２１を介してカード搬送用モータ２２に連結されている。パッドローラ２０は、上側からカード搬送ローラ１９に対向しており、カード搬送ローラ１９に向かって付勢されている。
【００３６】
サーマルヘッド９は、印刷装置１の前後方向の略中心に、かつ、カード搬送路１７の上側に配置されている。サーマルヘッド９の下方には、プラテンローラ２３が配置されている。プラテンローラ２３は、動力伝達機構２１を介してカード搬送用モータ２２に連結されており、カード搬送ローラ１９と一緒に回転する。また、サーマルヘッド９は、カード搬送路１７を通過するカード２に近づく方向およびこのカード２から離れる方向へサーマルヘッド９を移動させるヘッド移動機構２４（図２参照）に連結されている。
【００３７】
カード２およびインクリボン３は、上下方向において、サーマルヘッド９とプラテンローラ２３との間を通過する。また、サーマルヘッド９は、ヘッド移動機構２４から伝達される動力によって、カード搬送路１７に対して（具体的には、プラテンローラ２３に対して）上下動する。このサーマルヘッド９は、インクリボン３を介してカード２の上面に所定の当接力で当接して、カード搬送路１７を通過するカード２の上面に印刷を行う。
【００３８】
前後方向におけるサーマルヘッド９の両側等には、印刷装置１内でインクリボン３を案内するためのガイド軸２５が配置されている。ガイド軸２５は、左右方向を軸方向として第１筺体１３または第２筺体１４に固定されている。このガイド軸２５は、カード搬送路１７の上方に配置されている。
【００３９】
カートリッジ６は、上述の供給ロール４および巻取ロール５を有するインクリボンカセット２６と、インクリボンカセット２６が着脱可能に取り付けられるカートリッジ本体部２７とを備えている（図３参照）。このカートリッジ６は、カード搬送路１７の上側に配置され、上側から筺体１５に着脱可能となっている。供給ロール４および巻取ロール５は、その軸方向と左右方向とが一致するように配置されている。また、供給ロール４は、サーマルヘッド９よりも前側に配置されており、供給ロール４には、サーマルヘッド９に向かって供給されるインクリボン３（未使用のインクリボン３）が巻回されている。巻取ロール５は、サーマルヘッド９よりも後ろ側に配置されており、巻取ロール５には、供給ロール４から供給されサーマルヘッド９によってカード２にインクが転写された後のインクリボン３（使用済みのインクリボン３）が巻き取られる。カートリッジ６の具体的な構成については後述する。
【００４０】
リボン送り機構１０は、インクリボン３に当接してインクリボン３を送るリボン送りローラ２８と、リボン送りローラ２８に対向配置されるパッドローラとを備えている。また、リボン送り機構１０は、リボン送りローラ２８が連結されるリボン送り用モータ３０と、リボン送り用モータ３０の動力をリボン送りローラ２８等に伝達するための動力伝達機構３１（図４参照）とを備えている。
【００４１】
リボン送りローラ２８は、サーマルヘッド９の斜め後ろ上側に配置されており、サーマルヘッド９と巻取ロール５との間に配置されている。また、リボン送りローラ２８は、第１筺体１３に回転可能に保持されている。パッドローラは、略後ろ側からリボン送りローラ２８に対向しており、リボン送りローラ２８に向かって付勢されている。動力伝達機構３１は、本体部７の一部をなす動力伝達機構３２と、カードリッジ６の一部をなす動力伝達機構３３とから構成されている。
【００４２】
本形態では、リボン送り機構１０は、巻取ロール５がインクリボン３を巻き取る方向（以下、この方向を「リボン巻取方向」とする。）と、供給ロール４がインクリボン３を巻き取る方向（以下、この方向を「リボン巻戻し方向」とする。）との両方向へインクリボン３を送ることが可能になっている。リボン巻取方向へインクリボン３が送られるときには、リボン送りローラ２８、供給ロール４および巻取ロール５は反時計方向へ回転し、リボン巻戻し方向へインクリボン３が送られるときには、リボン送りローラ２８、供給ロール４および巻取ロール５は時計方向へ回転する。動力伝達機構３２、３３の具体的な構成については後述する。
【００４３】
なお、サーマルヘッド９によってカード２に対する印刷が行われると、インクリボン３には、カード２へ転写されたインクの剥離跡が形成される。本形態では、カード２に印刷される画像と同じ形のインクの剥離跡が使用後のインクリボン３に形成されるように、リボン送り機構１０は、１枚のカード２の印刷時に、リボン巻取方向へインクリボン３を順次、送る。
【００４４】
（インクリボンカセットの構成）
図６は、図３に示すインクリボンカセット２６を別の角度から示す斜視図である。図７は、図６に示すインクリボンカセット２６の分解斜視図である。図８は、図７のＥ部の拡大図である。図９は、図７のＦ部の拡大図である。図１０は、図６のＧ−Ｇ断面の断面図である。図１１は、図１０に示す巻取ロール５が圧縮コイルバネ４４の付勢力に抗して移動したときの状態を説明するための断面図である。
【００４５】
インクリボンカセット２６は、上述の供給ロール４および巻取ロール５に加え、供給ロール４および巻取ロール５が収容されるケース体３６を備えている。ケース体３６は、ケース本体３７と、ケース本体３７の右端側に固定されるカバー部材３８とを備えている。また、インクリボンカセット２６は、供給ロール４を手動で回転させるためのスリーブ３９および摘み４０と、供給ロール４を左側へ付勢する第２付勢部材としての圧縮コイルバネ４１と、巻取ロール５を手動で回転させるためのスリーブ４２および摘み４３と、巻取ロール５を左側へ付勢する第１付勢部材としての圧縮コイルバネ４４とを備えている。
【００４６】
ケース本体３７は、供給ロール４に巻回されたインクリボン３の略全体を覆う供給側カバー部としてのカバー部３７ａと、巻取ロール５に巻回されたインクリボン３の略全体を覆う巻取側カバー部としてのカバー部３７ｂと、カバー部３７ａとカバー部３７ｂとを繋ぐ連結部３７ｃとを備えている。カバー部３７ａおよびカバー部３７ｂは、略円筒状に形成されている。略円筒状に形成されるカバー部３７ａおよびカバー部３７ｂは、左右方向を軸方向として配置されている。また、カバー部３７ａとカバー部３７ｂとは、前後方向において所定の間隔をあけた状態で配置されている。連結部３７ｃは、カバー部３７ａの右後端とカバー部３７ｂの右前端とを繋いでいる。カバー部３７ａとカバー部３７ｂとの間であって、連結部３７ｃの左側では、インクリボン３がケース体３６の外部に露出している。
【００４７】
カバー部３７ｂは、図１０に示すように、円環状に形成されカバー部３７ｂの左端を構成する底部３７ｄと、底部３７ｄの外周端から右側へ立ち上がる略円筒状の筒部３７ｅと、底部３７ｄの内周端から右側へ立ち上がる円筒状の内側筒部３７ｆとを備えている。左右方向における内側筒部３７ｆの長さ（すなわち、内側筒部３７ｆの軸方向の長さ）は、左右方向における筒部３７ｅの長さ（すなわち、筒部３７ｅの軸方向の長さ）よりも短くなっている。巻取ロール５に巻回されたインクリボン３の外周側は、筒部３７ｅに覆われている。筒部３７ｅには、巻取ロール５に巻回されるインクリボン３を引き出すためのスリットが形成されている。
【００４８】
内側筒部３７ｆの右端には、内側筒部３７ｆの内周側へわずかに突出する円環状の円環部３７ｇが形成されている。円環部３７ｇの右面には、後述の回転防止機構４６を構成する歯止め３７ｈが形成されている。歯止め３７ｈは、円環部３７ｇの右面から右側へ突出するように形成されている。また、歯止め３７ｈは、たとえば、１８０°ピッチで円環部３７ｇの右面の２箇所に形成されている。
【００４９】
カバー部３７ａは、カバー部３７ｂと同形状に形成されている。すなわち、カバー部３７ａは、底部３７ｄに相当する底部３７ｊと、筒部３７ｅに相当する筒部３７ｋと、内側筒部３７ｆに相当する内側筒部３７ｍとを備えている。内側筒部３７ｍの右端には、円環部３７ｇに相当する円環部が形成されており、この円環部の右面には、歯止め３７ｈに相当する歯止めが形成されている。筒部３７ｋの下端側には、２個のプリズム４５（図７参照）が固定されている。２個のプリズム４５は、前後左右方向で互いにずれた状態で配置されている。
【００５０】
カバー部材３８は、筒部３７ｅの右端の内周側に配置されて固定される固定部３８ａと、筒部３７ｋの右端の内周側に配置されて固定される固定部３８ｂとを備えている。固定部３８ａには、左側に向かって立ち上がる円筒状の筒部３８ｃと、右側に向かって立ち上がる円筒状のスリーブ保持部３８ｄとが同心状に形成されている。筒部３８ｃの内径は、スリーブ保持部３８ｄの内径よりも大きくなっている。筒部３８ｃの左端には、後述の回転防止機構４７を構成する歯止め３８ｅが形成されている。歯止め３８ｅは、筒部３８ｃの左端から左側へ突出するように形成されている。また、歯止め３８ｅは、たとえば、１８０°ピッチで筒部３８ｃの左端の２箇所に形成されている。固定部３８ａは、カバー部３７ｂの筒部３７ｅと筒部３８ｃとが同心状に配置されるように筒部３７ｅの右端の内周側に固定されている。
【００５１】
固定部３８ｂは、固定部３８ａと同形状に形成されている。すなわち、固定部３８ｂには、筒部３８ｃに相当する筒部３８ｆと、スリーブ保持部３８ｄに相当するスリーブ保持部とが形成されている。また、筒部３８ｆの左端には、歯止め３８ｅに相当する歯止めが形成されている。固定部３８ｂは、カバー部３７ａの筒部３７ｋと筒部３８ｆとが同心状に配置されるように筒部３７ｋの右端の内周側に固定されている。
【００５２】
スリーブ４２は、略円板状に形成される底部４２ａと円筒状に形成される筒部４２ｂとを有する鍔付きの略有底円筒状に形成されている。底部４２ａは、筒部４２ｂの右端に繋がっている。また、スリーブ４２は、底部４２ａから右側へ立ち上がる円筒状の筒部４２ｃを備えている。筒部４２ｃは、筒部４２ｂと同心状に形成されている。
【００５３】
底部４２ａの外周側部分は、筒部４２ｂよりも外周側に広がっている。底部４２ａには、左側に向かってわずかに立ち上る円筒状のバネ保持部４２ｄが形成されている。バネ保持部４２ｄは、筒部４２ｂと同心状に形成されている。バネ保持部４２ｄの内径は、筒部４２ｂの外径よりも大きくなっている。底部４２ａおよび筒部４２ｂは、カバー部材３８の筒部３８ｃの内周側に配置されている。筒部４２ｂの外周面には、図８に示すように、筒部４２ｂの外周側へ突出する凸部４２ｅが形成されている。凸部４２ｅは、左右方向の細長い直方体状に形成されている。また、凸部４２ｅは、たとえば、１８０°ピッチで２箇所に形成されている。筒部４２ｃは、カバー部材３８のスリーブ保持部３８ｄの内周側に回転可能に保持されている。筒部４２ｃの右端には、摘み４３が固定されている。摘み４３は、カバー部材３８の右側面よりも右側へ突出するように筒部４２ｃに固定されている。
【００５４】
スリーブ３９は、スリーブ４２と同形状に形成されている。すなわち、スリーブ３９は、底部４２ａに相当する底部３９ａと、筒部４２ｂに相当する筒部３９ｂと、筒部４２ｃに相当する筒部３９ｃとを備えている。底部３９ａには、バネ保持部４２ｄに相当するバネ保持部が形成され、筒部３９ｂの外周面には、凸部４２ｅに相当する凸部が形成されている。底部３９ａおよび筒部３９ｂは、カバー部材３８の筒部３８ｆの内周側に配置されている。筒部３９ｃは、固定部３８ｂのスリーブ保持部の内周側に回転可能に保持されている。筒部３９ｃの右端には、摘み４０が固定されている。摘み４０は、カバー部材３８の右側面よりも右側へ突出するように筒部３９ｃに固定されている。
【００５５】
巻取ロール５は、図１０に示すように、略円板状に形成される底部５ａと円筒状に形成される筒部５ｂとを有する略有底円筒状に形成されている。底部５ａは、筒部５ｂの右端に繋がっている。また、巻取ロール５は、筒部５ｂの内周側に配置される円筒状の第１内側筒部５ｃと、第１内側筒部５ｃの内周側に配置される有底円筒状の第２内側筒部５ｄと、底部５ａから右側へ立ち上がる円筒状のバネ保持筒部５ｅとを備えている。第１内側筒部５ｃ、第２内側筒部５ｄおよびバネ保持筒部５ｅは、筒部５ｂと同心状に形成されている。
【００５６】
第１内側筒部５ｃおよび第２内側筒部５ｄは、底部５ａから左側に向かって立ち上がるように形成されている。左右方向における第１内側筒部５ｃの長さ（すなわち、第１内側筒部５ｃの軸方向の長さ）は、左右方向における筒部５ｂ（すなわち、筒部５ｂの軸方向の長さ）の長さよりも短くなっている。左右方向における第２内側筒部５ｄの長さ（すなわち、第２内側筒部５ｄの軸方向の長さ）は、左右方向における第１内側筒部５ｃの長さよりも短くなっている。上述のように、第２内側筒部５ｄは、略有底円筒状に形成されており、第２内側筒部５ｄの底部５ｆは、第２内側筒部５ｄの左端に配置されている。バネ保持筒部５ｅの外径は、筒部５ｂの外径よりも小さくなっている。また、バネ保持筒部５ｅの外径は、圧縮コイルバネ４４の内径よりも小さくなっている。
【００５７】
バネ保持筒部５ｅの内径は、スリーブ４２の筒部４２ｂの外径よりもわずかに大きくなっており、バネ保持筒部５ｅの内周側に筒部４２ｂが配置されている。バネ保持筒部５ｅの内周面には、筒部４２ｂに形成される凸部４２ｅに係合する係合凹部が径方向の外側へ窪むように形成されている。そのため、摘み４３を回転させることで、スリーブ４２と一緒に巻取ロール５を回転させることが可能になる。また、凸部４２ｅは、左右方向の細長い直方体状に形成されているため、巻取ロール５は、スリーブ４２に対して左右方向へ相対移動可能となっている。
【００５８】
図１０に示すように、筒部５ｂの外径は、カバー部３７ｂの筒部３７ｅの内径よりも小さくなっている。筒部５ｂの内径は、カバー部３７ｂの内側筒部３７ｆの外径よりも大きくなっている。筒部５ｂは、筒部５ｂの径方向において、筒部３７ｅと内側筒部３７ｆとの間に配置されている。インクリボン３は、筒部５ｂの外周面に巻回されている。また、左右方向における底部５ａの右面と第１内側筒部５ｃの左端面との距離は、左右方向における内側筒部３７ｆの右端面と固定部３８ａの筒部３８ｃの左端との距離よりも短くなっている。
【００５９】
第１内側筒部５ｃの左端面には、内側筒部３７ｆの右端に形成される歯止め３７ｈに係合可能な歯車５ｈが形成されている。歯車５ｈは、第１内側筒部５ｃの左側へ突出するように形成されている。歯車５ｈを構成する複数の歯および歯止め３７ｈは、歯車５ｈと歯止め３７ｈとが係合しているときに、リボン巻戻し方向への巻取ロール５の回転を防止するように（すなわち、時計方向への巻取ロール５の回転を防止するように）形成されている。
【００６０】
本形態では、歯車５ｈと歯止め３７ｈとによって、リボン巻戻し方向への巻取ロール５の回転を防止する第１回転防止機構としての回転防止機構４６が構成されている。回転防止機構４６は、巻取ロール５の軸方向の一端側である巻取ロール５の左端側に配置されている。また、本形態の回転防止機構４６は、リボン巻戻し方向への巻取ロール５の回転のみを防止するラチェット機構であり、歯車５ｈと歯止め３７ｈとが係合していても、リボン巻取方向への巻取ロール５の回転は可能となっている。なお、本形態の歯車５ｈは、巻取ロール５側に設けられる第１ロール側係合部であり、歯止め３７ｈは、ケース体３６側に設けられる第１ケース側係合部である。
【００６１】
底部５ａの右面の外周端側には、固定部３８ａの筒部３８ｃの左端に形成される歯止め３８ｅに係合可能な歯車５ｇが形成されている。歯車５ｇは、底部５ａの右側へ突出するように形成されている。歯車５ｇを構成する複数の歯および歯止め３８ｅは、歯車５ｇと歯止め３８ｅとが係合しているときに、リボン巻戻し方向への巻取ロール５の回転を防止するように形成されている。
【００６２】
本形態では、歯車５ｇと歯止め３８ｅとによって、リボン巻戻し方向への巻取ロール５の回転を防止する第２回転防止機構としての回転防止機構４７が構成されている。回転防止機構４７は、巻取ロール５の軸方向の他端側である巻取ロール５の右端側に配置されている。また、本形態では、歯車５ｇを構成する複数の歯および歯止め３８ｅは、歯車５ｇと歯止め３８ｅとが係合しているときに、リボン巻取方向への巻取ロール５の回転も防止するように形成されている。なお、本形態の歯車５ｇは、巻取ロール５側に設けられる第２ロール側係合部であり、歯止め３８ｅは、ケース体３６側に設けられる第２ケース側係合部である。
【００６３】
圧縮コイルバネ４４の左端側の内周には、バネ保持筒部５ｅが挿入され、圧縮コイルバネ４４の右端側の内周には、スリーブ４２のバネ保持部４２ｄが挿入されている。巻取ロール５は、圧縮コイルバネ４４の付勢力によって、左側へ付勢されている。圧縮コイルバネ４４の付勢力によって巻取ロール５が左側へ付勢されているときには、図１０に示すように、筒部５ｂの左端は、カバー部３７ｂの底部３７ｄの右面に当接している。また、このときには、歯車５ｈと歯止め３７ｈとが係合している。そのため、このときには、回転防止機構４６の作用で、リボン巻取方向へ巻取ロール５を回転させることは可能であるが、リボン巻戻し方向へ巻取ロール５を回転させることはできない。
【００６４】
圧縮コイルバネ４４の付勢力に抗して、巻取ロール５を右側へ移動させると、歯車５ｈと歯止め３７ｈとの係合状態が解除される。この状態では、リボン巻取方向およびリボン巻戻し方向の両方向へ巻取ロール５を回転させることが可能である。一方、圧縮コイルバネ４４の付勢力に抗して、巻取ロール５をさらに右側へ移動させると、図１１に示すように、歯車５ｇと歯止め３８ｅとが係合する。そのため、この状態では、回転防止機構４７の作用で、リボン巻戻し方向およびリボン巻取方向へ巻取ロール５を回転させることはできない。
【００６５】
すなわち、歯車５ｈと歯止め３７ｈとが係合している状態を第１係合状態とし、歯車５ｈと歯止め３７ｈとの係合が解除されている状態を第１係合解除状態とし、歯車５ｇと歯止め３８ｅとが係合している状態を第２係合状態とし、歯車５ｇと歯止め３８ｅとの係合が解除されている状態を第２係合解除状態とすると、本形態では、圧縮コイルバネ４４の付勢力で、第１係合状態および第２係合解除状態が維持されて、リボン巻戻し方向への巻取ロール５の回転が防止されている。このときには、リボン巻取方向への巻取ロール５の回転は可能となっている。また、圧縮コイルバネ４４の付勢力に抗して、巻取ロール５を右側へ移動させると、第１係合解除状態および第２係合解除状態となってリボン巻取方向およびリボン巻戻し方向への巻取ロール５の回転が可能になる第１状態と、第１係合解除状態および第２係合状態となってリボン巻取方向およびリボン巻戻し方向への巻取ロール５の回転が防止される第２状態とに切り替わる。
【００６６】
供給ロール４は、巻取ロール５と同形状に形成されている。すなわち、供給ロール４は、底部５ａに相当する底部と、筒部５ｂに相当する筒部４ｂと、第１内側筒部５ｃに相当する第１内側筒部と、第２内側筒部５ｄに相当する第２内側筒部と、バネ保持筒部５ｅに相当するバネ保持筒部４ｅとを備えている。
【００６７】
バネ保持筒部４ｅの内径は、スリーブ３９の筒部３９ｂの外径よりもわずかに大きくなっており、バネ保持筒部４ｅの内周側に筒部３９ｂが配置されている。バネ保持筒部４ｅの内周面には、筒部３９ｂに形成される凸部に係合する係合凹部が径方向の外側へ窪むように形成されている。そのため、摘み４０を回転させることで、スリーブ３９と一緒に供給ロール４を回転させることが可能になる。また、筒部３９ｂの凸部は、左右方向の細長い直方体状に形成されているため、供給ロール４は、スリーブ３９に対して左右方向へ相対移動可能となっている。
【００６８】
筒部４ｂの外径は、カバー部３７ａの筒部３７ｋの内径よりも小さくなっている。筒部４ｂの内径は、カバー部３７ａの内側筒部３７ｍの外径よりも大きくなっている。筒部４ｂは、筒部４ｂの径方向において、筒部３７ｋと内側筒部３７ｍとの間に配置されている。インクリボン３は、筒部４ｂの外周面に巻回されている。また、左右方向における供給ロール４の底部の右面と第１内側筒部の左端面との距離は、左右方向における内側筒部３７ｍの右端面と固定部３８ｂの筒部３８ｆの左端との距離よりも短くなっている。
【００６９】
供給ロール４の第１内側筒部の左端面には、第１内側筒部５ｃと同様に、内側筒部３７ｍの左端に形成される歯止めに係合可能な歯車が形成されている。この歯車は、供給ロール４の第１内側筒部の左側へ突出するように形成されている。この歯車を構成する複数の歯および内側筒部３７ｍの歯止めは、この歯車と内側筒部３７ｍの歯止めとが係合しているときに、リボン巻取方向への供給ロール４の回転を防止するように（すなわち、反時計方向への供給ロール４の回転を防止するように）形成されている。
【００７０】
本形態では、供給ロール４の第１内側筒部の歯車と内側筒部３７ｍの歯止めとによって、リボン巻取方向への供給ロール４の回転を防止する第３回転防止機構が構成されている。第３回転防止機構は、供給ロール４の軸方向の一端側である供給ロール４の左端側に配置されている。また、第３回転防止機構は、リボン巻取方向への供給ロール４の回転のみを防止するラチェット機構であり、供給ロール４の第１内側筒部の歯車と内側筒部３７ｍの歯止めとが係合していても、リボン巻戻し方向への供給ロール４の回転は可能となっている。なお、本形態では、供給ロール４の第１内側筒部の歯車は、供給ロール４側に設けられる第３ロール側係合部であり、内側筒部３７ｍの歯止めは、ケース体３６側に設けられる第３ケース側係合部である。
【００７１】
供給ロール４の底部の右面の外周端側には、固定部３８ｂの筒部３８ｆの左端に形成される歯止めに係合可能な歯車が形成されている。この歯車は、供給ロール４の底部の右側へ突出するように形成されている。この歯車を構成する複数の歯および筒部３８ｆの歯止めは、この歯車と筒部３８ｆの歯止めとが係合しているときに、リボン巻取方向への供給ロール４の回転を防止するように形成されている。
【００７２】
本形態では、供給ロール４の底部の歯車と筒部３８ｆの歯止めとによって、リボン巻取方向への供給ロール４の回転を防止する第４回転防止機構が構成されている。第４回転防止機構は、供給ロール４の軸方向の他端側である供給ロール４の右端側に配置されている。また、本形態では、供給ロール４の底部の歯車を構成する複数の歯および筒部３８ｆの歯止めは、供給ロール４の底部の歯車と筒部３８ｆの歯止めとが係合しているときに、リボン巻戻し方向への供給ロール４の回転も防止するように形成されている。なお、本形態では、供給ロール４の底部の歯車は、供給ロール４側に設けられる第４ロール側係合部であり、筒部３８ｆの歯止めは、ケース体３６側に設けられる第４ケース側係合部である。
【００７３】
圧縮コイルバネ４１の左端側の内周には、バネ保持筒部４ｅが挿入され、圧縮コイルバネ４１の右端側の内周には、スリーブ３９のバネ保持部が挿入されている。供給ロール４は、圧縮コイルバネ４１の付勢力によって、左側へ付勢されている。圧縮コイルバネ４１の付勢力によって供給ロール４が左側へ付勢されているときには、筒部４ｂの左端は、カバー部３７ａの底部３７ｊの右面に当接している。また、このときには、供給ロール４の第１内側筒部の歯車と内側筒部３７ｍの歯止めとが係合しており、リボン巻戻し方向へ供給ロール４を回転させることは可能であるが、リボン巻取方向へ供給ロール４を回転させることはできない。
【００７４】
圧縮コイルバネ４１の付勢力に抗して、供給ロール４を右側へ移動させると、供給ロール４の第１内側筒部の歯車と内側筒部３７ｍの歯止めとの係合が解除される。この状態では、リボン巻取方向およびリボン巻戻し方向の両方向へ供給ロール４を回転させることが可能である。一方、圧縮コイルバネ４１の付勢力に抗して、供給ロール４をさらに右側へ移動させると、供給ロール４の底部の歯車と筒部３８ｆの歯止めとが係合するため、この状態では、リボン巻取方向およびリボン巻戻し方向へ供給ロール４を回転させることはできない。
【００７５】
すなわち、供給ロール４の第１内側筒部の歯車と内側筒部３７ｍの歯止めとが係合している状態を第３係合状態とし、供給ロール４の第１内側筒部の歯車と内側筒部３７ｍの歯止めとの係合が解除されている状態を第３係合解除状態とし、供給ロール４の底部の歯車と筒部３８ｆの歯止めとが係合している状態を第４係合状態とし、供給ロール４の底部の歯車と筒部３８ｆの歯止めとの係合が解除されている状態を第４係合解除状態とすると、本形態では、圧縮コイルバネ４１の付勢力で、第３係合状態および第４係合解除状態が維持されて、リボン巻取方向への供給ロール４の回転が防止されている。このときには、リボン巻戻し方向への供給ロール４の回転は可能となっている。また、圧縮コイルバネ４１の付勢力に抗して、供給ロール４を右側へ移動させると、第３係合解除状態および第４係合解除状態となってリボン巻取方向およびリボン巻戻し方向への供給ロール４の回転が可能になる第３状態と、第３係合解除状態および第４係合状態となってリボン巻取方向およびリボン巻戻し方向への供給ロール４の回転が防止される第４状態とに切り替わる。
【００７６】
なお、本形態では、インクリボンカセット２６を構成する全ての部品は、樹脂で形成されている。
【００７７】
（カートリッジ本体部の構成）
図１２は、図３に示すカートリッジ本体部２７の構成を側面から説明するための図である。図１３は、図３に示すカートリッジ本体部２７の構成を説明するための断面図である。図１４は、図３に示すカートリッジ本体部２７にインクリボンカセット２６が取り付けられたときの巻取ロール５の周辺部分の状態を説明するための断面図である。
【００７８】
カートリッジ本体部２７は、左右方向を軸方向として配置される複数の軸５１と、複数の軸５１を介して連結される一対のフレーム５２、５３とを備えている。また、カートジッリ本体部２７は、動力伝達機構３１の一部をなす上述の動力伝達機構３３を備えている。
【００７９】
フレーム５２は、カートリッジ本体部２７の左側面を構成している。フレーム５３は、カートリッジ本体部２７の右側面を構成している。本形態では、インクリボンカセット２６は、カートリッジ本体部２７に右側から取り付けられ、カートリッジ本体部２７の右側へ取り外される。
【００８０】
フレーム５３には、図３に示すように、インクリボンカセット２６をカートリッジ本体部２７に着脱するための貫通孔５３ａが形成されている。貫通孔５３ａは、インクリボンカセット２６の右端側部分の形状に応じた形状に形成されており、カートリッジ本体部２７にインクリボンカセット２６が取り付けられると、インクリボンカセット２６の右端側部分が貫通孔５３ａの中に配置される。また、カートリッジ本体部２７にインクリボンカセット２６が取り付けられると、インクリボンカセット２６の右端側部分によって貫通孔５３ａが埋まる。また、フレーム５３には、カートリッジ本体部２７に取り付けられたインクリボンカセット２６をロックするためのロック機構５０が取り付けられている。ロック機構５０は、前後方向における貫通孔５３ａの両側に配置されている。
【００８１】
動力伝達機構３３は、フレーム５２の右側に配置されている。この動力伝達機構３３は、左側から供給ロール４に係合して供給ロール４を回転させるための供給側係合部５４と、左側から巻取ロール５に係合して巻取ロール５を回転させるための巻取側係合部５５とを備えている。供給側係合部５４は、供給ロール４に連結される連結部５６と、トルクリミッタ５７を介して連結部５６に連結される回転軸５８とを備えている。巻取側係合部５５は、巻取ロール５に連結される連結部５９と、トルクリミッタ６０を介して連結部５９に連結される回転軸６１とを備えている。
【００８２】
また、動力伝達機構３３は、図１２、図１３に示すように、歯車６８と、歯車６８に噛み合う歯車６９と、歯車６９とワンウェイクラッチ６２を介して連結されるプーリ６３と、回転軸５８に固定されるプーリ６４と、プーリ６３とプーリ６４とに架け渡されるベルト６５と、回転軸６１にワンウェイクラッチ６６を介して連結される歯車６７とを備えている。
【００８３】
回転軸５８の左端側は、フレーム５２に回転可能に支持されており、回転軸５８は、フレーム５２から右側へ突出している。トルクリミッタ５７は、左右方向における回転軸５８の略中心位置に取り付けられている。トルクリミッタ５７の外周面には、鍔付きの略有底円筒状に形成されるスリーブ７０が固定されている。連結部５６は、鍔付きの略円筒状に形成されている。この連結部５６は、スリーブ７０を介してトルクリミッタ５７に取り付けられている。連結部５６は、回転軸５８の右端側に配置されている。回転軸５８の右端側は、連結部５６の右端よりも右側へ突出している。
【００８４】
連結部５６の外周面には、径方向の外側へ突出する複数の凸部５６ａが形成されている。凸部５６ａは、左右方向に細長い直方体状に形成されている。また、複数の凸部５６ａは、連結部５６の周方向において所定のピッチで形成されている。スリーブ７０には、供給ロール４の回転量を検出するためのスリット部７０ａが形成されている。スリット部７０ａは、スリーブ７０の左端側部分を構成する円環状の鍔部の外周端側に形成されている。
【００８５】
回転軸５８の左端側には、ワンウェイクラッチ７１を介して略円筒状に形成される回転部材７２が取り付けられている。ワンウェイクラッチ７１は、リボン巻取方向における回転軸５８の回転力（すなわち、反時計方向における回転軸５８の回転力）を回転部材７２に伝達するとともにリボン巻戻し方向における回転軸５８の回転力（すなわち、時計方向における回転軸５８の回転力）の回転部材７２への伝達を遮断する機能を果たしている。
【００８６】
回転部材７２の外周側には、引張りコイルバネ７３の一端が取り付けられている。引張りコイルバネ７３の他端は、フレーム５２に取り付けられている。回転部材７２は、引張りコイルバネ７３の付勢力で、回転軸５８を中心にしてリボン巻戻し方向（すなわち、時計方向）へ付勢されている。なお、回転部材７２の回転範囲は、図示を省略する回転規制機構によって規制されている。また、回転部材７２は、フレーム５２の右側面に固定されるカバー７４に覆われている。
【００８７】
プーリ６４は、回転軸５８の左端側に固定されている。歯車６８は、フレーム５２に回転可能に支持されている。歯車６９は、フレーム５２に回転可能に支持される回転軸７５の右端側に固定されている。ワンウェイクラッチ６２は、回転軸７５の左端側に取り付けられている。プーリ６３は、ワンウェイクラッチ６２に取り付けられている。ワンウェイクラッチ６２は、リボン巻戻し方向における回転軸７５の回転力（すなわち、時計方向における回転軸７５の回転力）をプーリ６３に伝達するとともにリボン巻取方向における回転軸７５の回転力（すなわち、反時計方向における回転軸７５の回転力）のプーリ６３への伝達を遮断する機能を果たしている。
【００８８】
回転軸６１の左端側は、フレーム５２に回転可能に支持されており、回転軸６１は、フレーム５２から右側へ突出している。トルクリミッタ６０は、左右方向における回転軸６１の略中心位置に取り付けられている。トルクリミッタ６０の外周面には、略有底円筒状に形成されるスリーブ７７が固定されている。連結部５９は、鍔付きの略円筒状に形成されている。この連結部５９は、スリーブ７７を介してトルクリミッタ６０に取り付けられている。連結部５９は、回転軸６１の右端側に配置されている。回転軸６１の右端側は、連結部５９の右端よりも右側へ突出している。連結部５９の外周面には、連結部５６と同様に、径方向の外側へ突出する複数の凸部５９ａが形成されている。複数の凸部５９ａは、複数の凸部５６ａと同様に形成されている。
【００８９】
回転軸６１の左端側には、リボン巻戻し方向への巻取ロール５の回転を防止する第５回転防止機構としての回転防止機構７８が設けられている。回転防止機構７８は、回転軸６１の左端側に固定される歯車７９と、歯車７９に係合する２個の爪部材８０とを備えている。歯車７９を構成する複数の歯および爪部材８０は、歯車７９と爪部材８０とが係合しているときに、リボン巻戻し方向への巻取ロール５の回転を防止するように形成されている。なお、本形態の回転防止機構７８は、リボン巻戻し方向への巻取ロール５の回転のみを防止するラチェット機構であり、歯車７９と爪部材８０とが係合していても、リボン巻取方向への巻取ロール５の回転は可能となっている。
【００９０】
爪部材８０は、固定軸８２に回動可能に保持されている。固定軸８２は、歯車６７および歯車７９を覆うカバー８１に固定されている。２個の爪部材８０は、歯車７９の上端側と下端側とのそれぞれに係合可能となるように配置されている。また、爪部材８０は、ネジリコイルバネ８３によって、固定軸８２を中心に歯車７９に係合する方向（具体的には、反時計方向）に付勢されている。なお、カバー８１は、フレーム５２の右側面に固定されている。
【００９１】
ワンウェイクラッチ６６は、回転軸６１の左端側に取り付けられている。歯車６７は、ワンウェイクラッチ６６に取り付けられている。ワンウェイクラッチ６６は、リボン巻取方向における歯車６７の回転力（すなわち、反時計方向における歯車６７の回転力）を回転軸６１に伝達するとともにリボン巻戻し方向における歯車６７の回転力（すなわち、時計方向における歯車６７の回転力）の回転軸６１への伝達を遮断する機能を果たしている。
【００９２】
カートリッジ本体部２７にインクリボンカセット２６が取り付けられると、図１４に示すように、第１内側筒部５ｃの内周側に連結部５９および回転軸６１が挿入されて、連結部５９の外周面に形成された複数の凸部５９ａが、第１内側筒部５ｃの内周面に形成される係合凹部に係合する。そのため、連結部５９と巻取ロール５との間で回転力の伝達が可能になる。
【００９３】
また、第１内側筒部５ｃの内周側に回転軸６１が挿入されると、回転軸６１の右端が第２内側筒部５ｄの底部５ｆに当接して、巻取ロール５を右側へ押す。回転軸６１に押された巻取ロール５は、圧縮コイルバネ４４の付勢力に抗して、歯車５ｈと歯止め３７ｈとの係合が解除されるまで、かつ、歯車５ｇと歯止め３８ｅとが係合しない位置まで右側へ移動する。すなわち、カートリッジ本体部２７にインクリボンカセット２６が取り付けられて、巻取側係合部５５が巻取ロール５に係合すると、歯車５ｈと歯止め３７ｈとの係合が解除されるとともに歯車５ｇと歯止め３８ｅとの係合が解除された状態が維持されて、上述の第１状態になる。ただし、カートリッジ本体部２７にインクリボンカセット２６が取り付けられた状態では、歯車７９に２個の爪部材８０が係合しているため、巻取ロール５は、リボン巻取方向へは回転するが、リボン巻戻し方向へは回転しない。
【００９４】
また、カートリッジ本体部２７にインクリボンカセット２６が取り付けられると、供給ロール４の第１内側筒部の内周側に連結部５６および回転軸５８が挿入されて、連結部５６の外周面に形成された複数の凸部５６ａが、供給ロール４の第１内側筒部の内周面に形成される係合凹部に係合する。そのため、連結部５６と供給ロール４との間で回転力の伝達が可能になる。
【００９５】
また、供給ロール４の第１内側筒部の内周側に回転軸５８が挿入されると、回転軸５８の右端が供給ロール４の第２内側筒部の底部に当接して、供給ロール４を右側へ押す。回転軸５８に押された供給ロール４は、圧縮コイルバネ４１の付勢力に抗して、供給ロール４の第１内側筒部の歯車と内側筒部３７ｍの歯止めとの係合が解除されるまで、かつ、供給ロール４の底部の歯車と筒部３８ｆの歯止めとが係合しない位置まで右側へ移動する。すなわち、カートリッジ本体部２７にインクリボンカセット２６が取り付けられて、供給側係合部５４が供給ロール４に係合すると、供給ロール４の第１内側筒部の歯車と内側筒部３７ｍの歯止めとの係合が解除されるとともに供給ロール４の底部の歯車と筒部３８ｆの歯止めとの係合が解除された状態が維持されて、上述の第３状態になる。そのため、カートリッジ本体部２７にインクリボンカセット２６が取り付けられると、供給ロール４は、リボン巻取方向およびリボン巻戻し方向の両方向へ回転可能となる。
【００９６】
（歯車と爪部材との係合状態を解除するための構成）
図１５（Ａ）は、図１に示すカートリッジ６が第２筺体１４に搭載されたときの状態を説明するための図であり、図１５（Ｂ）は、図１５（Ａ）のＨ部の拡大図である。図１６（Ａ）は、図１に示すカートリッジ６が筺体１５に取り付けられたときの状態を説明するための図であり、図１６（Ｂ）は、図１６（Ａ）のＪ部の拡大図である。
【００９７】
第２筺体１４には、２個の爪部材８０のうちの歯車７９の下端側に係合する爪部材８０と歯車７９との係合状態を解除するための係合解除部１４ａが形成されている。図１５に示すように、カートリッジ６が第２筺体１４に搭載されると、歯車７９の下端側に係合する爪部材８０に係合解除部１４ａが接触し、この爪部材８０が、ネジリコイルバネ８３の付勢力に抗して固定軸８２を中心に時計方向へ回動する。爪部材８０が時計方向へ回動すると、この爪部材８０と歯車７９との係合状態が解除される。
【００９８】
また、第１筺体１３には、２個の爪部材８０のうちの歯車７９の上端側に係合する爪部材８０と歯車７９との係合状態を解除するための係合解除部１３ａが形成されている。図１６に示すように、第２筺体１４に搭載されたカートリッジ６が第１筺体１３に上側から覆われて筺体１５に取り付けられると、歯車７９の上端側に係合する爪部材８０に係合解除部１３ａが接触し、この爪部材８０が、ネジリコイルバネ８３の付勢力に抗して固定軸８２を中心に時計方向へ回動する。この爪部材８０が時計方向へ回動すると、爪部材８０と歯車７９との係合状態が解除される。
【００９９】
このように、カートリッジ６が第２筺体１４に搭載されるとともに、第１筺体１３に上側から覆われて筺体１５に取り付けられると、２個の爪部材８０と歯車７９との係合状態が解除される。そのため、カートリッジ６が筺体１５に取り付けられると（すなわち、カートリッジ６が本体部７に取り付けられると）、巻取ロール５は、リボン巻取方向およびリボン巻戻し方向の両方向へ回転可能となる。
【０１００】
なお、第２筺体１４に搭載されたカートリッジ６が第１筺体１３に上側から覆われていく過程で、サーマルヘッド９等が、供給ロール４と巻取ロール５との間でケース体３６の外部に露出するインクリボン３の上面に当接する。本形態では、上述のように、カートリッジ本体部２７にインクリボンカセット２６が取り付けられると、供給ロール４が、リボン巻取方向およびリボン巻戻し方向の両方向へ回転可能となるため、第２筺体１４に搭載されたカートリッジ６が第１筺体１３に上側から覆われていく過程では、供給ロール４からインクリボン３が引き出される。
【０１０１】
（動力伝達機構の構成とリボン送り機構の動作）
図１７は、図１２に示す回転部材７２および引張りコイルバネ７３の作用を説明するための図である。
【０１０２】
リボン送り機構１０は、上述のように、本体部７の一部をなす動力伝達機構３２を備えている。動力伝達機構３２は、リボン送り用モータ３０の出力軸に固定されるプーリ８７と、第２筺体１４に回転可能に支持されるプーリ８８と、プーリ８７とプーリ８８との架け渡されるベルト８９と、プーリ８８と同軸上に配置されプーリ８８と一緒に回転する歯車９０と、歯車９０に噛み合う歯車９１と、歯車９１に噛み合う歯車９２と、歯車９２に噛み合う歯車９３とを備えている。歯車９１、９２は、第２筺体１４に回転可能に支持されている。歯車９３は、第１筺体１３に回転可能に支持されている。また、歯車９３は、リボン送りローラ２８と同軸上に配置されており、リボン送りローラ２８と一緒に回転する。
【０１０３】
カートリッジ６が本体部７に取り付けられると、カートリッジ６側の歯車６８と本体部７側の歯車９３とが噛み合う。また、カートリッジ６が本体部７に取り付けられると、カートリッジ６側の歯車６７と本体部７側の歯車９０とが噛み合う。
【０１０４】
カートリッジ６が本体部７に取り付けられた状態で、リボン送り用モータ３０が時計方向に回転すると、リボン送り用モータ３０の動力が巻取ロール５およびリボン送りローラ２８に伝達されて、巻取ロール５およびリボン送りローラ２８は、反時計方向へ回転する。すなわち、リボン送り用モータ３０が時計方向に回転すると、巻取ロール５およびリボン送りローラ２８は、リボン巻取方向へインクリボン３を送る。
【０１０５】
本形態では、巻取ロール５で巻き取られるインクリボン３の巻取速度がリボン送りローラ２８で送られるインクリボン３の送り速度よりも速くなっている。そのため、リボン送り用モータ３０が時計方向へ回転すると、トルクリミッタ６０が作用して、巻取ロール５で巻き取られるインクリボン３の巻取速度とリボン送りローラ２８で送られるインクリボン３の送り速度との差が調整される。
【０１０６】
一方、リボン送り用モータ３０が時計方向に回転すると、ワンウェイクラッチ６２の作用で、リボン送り用モータ３０の動力の供給ロール４への伝達は遮断される。すなわち、プーリ６３に対して回転軸７５が空転して、リボン送り用モータ３０の動力の供給ロール４への伝達が遮断される。
【０１０７】
ここで、リボン送り用モータ３０が時計方向に回転すると、巻取ロール５およびリボン送りローラ２８によって、リボン巻取方向へインクリボン３が送られるため、供給ロール４は、リボン巻取方向（すなわち、反時計方向）へ回転する。供給ロール４が反時計方向へ回転すると、供給ロール４と一緒に連結部５６、回転軸５８、プーリ６３、６４も反時計方向へ回転する。本形態では、供給ロール４の筒部４ｂの外径がリボン送りローラ２８の外径よりも大きくなっており、供給ロール４と一緒に反時計方向へ回転するプーリ６３の回転速度は、リボン送り用モータ３０の動力で回転する回転軸７５の回転速度よりも遅くなっている。そのため、プーリ６３と回転軸７５との間で駆動力の干渉は生じない。
【０１０８】
また、供給ロール４が反時計方向へ回転すると、供給ロール４、連結部５６および回転軸５８と一緒に回転部材７２が反時計方向へ回転する。回転部材７２の回転範囲は、回転規制機構（図示省略）によって規制されているため、回転部材７２が反時計方向へ所定角度回転すると、回転部材７２および回転軸５８は停止する。回転部材７２および回転軸５８が停止しても、トルクリミッタ５７の作用で、供給ロール４は連結部５６と一緒に反時計方向へ回転し続ける。
【０１０９】
なお、回転部材７２が反時計方向へ回動すると、図１７（Ａ）に示すように、引張りコイルバネ７３が伸びて、回転部材７２が時計方向へ付勢される。そのため、リボン巻取方向へインクリボン３を送る際に、供給ロール４側でインクリボン３がたるむと、引張りコイルバネ７３の付勢力によって、回転部材７２、回転軸５８および連結部５６と一緒に供給ロール４が時計方向（すなわち、リボン巻取り方向）へ回転して、インクリボン３のたるみが解消される。また、回転部材７２が時計方向へ付勢されている状態で、カートリッジ６が本体部７から取り外されると、引張りコイルバネ７３の付勢力によって、回転部材７２、回転軸５８および連結部５６と一緒に供給ロール４が時計方向へ回転する。そのため、本体部７からカートリッジ６が取り外される最中に、カートリッジ６で生じうるインクリボン３のたるみが解消され、図１７（Ｂ）に示すように、カートリッジ６を取り外した後であっても、カートリッジ６では、インクリボン３のたるみは生じない。
【０１１０】
また、カートリッジ６が本体部７に取り付けられた状態で、リボン送り用モータ３０が反時計方向に回転すると、リボン送り用モータ３０の動力が供給ロール４およびリボン送りローラ２８に伝達されて、供給ロール４およびリボン送りローラ２８は、時計方向へ回転する。すなわち、リボン送り用モータ３０が反時計方向に回転すると、供給ロール４およびリボン送りローラ２８は、リボン巻戻し方向へインクリボン３を送る。
【０１１１】
本形態では、供給ロール４で巻き取られるインクリボン３の巻取速度がリボン送りローラ２８で送られるインクリボン３の送り速度よりも速くなっている。そのため、リボン送り用モータ３０が反時計方向へ回転すると、トルクリミッタ５７が作用して、供給ロール４で巻き取られるインクリボン３の巻取速度とリボン送りローラ２８で送られるインクリボン３の送り速度との差が調整される。なお、リボン送り用モータ３０の動力で回転軸５８が時計方向へ回転しても、ワンウェイクラッチ７１の作用で、回転部材７２は回転しない。ただし、引張りコイルバネ７３の付勢力によって、回転部材７２が時計方向へ付勢されている場合には、回転規制機構によって規制される位置まで、回転部材７２は時計方向へ回転する。
【０１１２】
一方、リボン送り用モータ３０が反時計方向に回転すると、ワンウェイクラッチ６６の作用で、リボン送り用モータ３０の動力の巻取ロール５への伝達は遮断される。すなわち、回転軸６１に対して歯車６７が空転して、リボン送り用モータ３０の動力の巻取ロール５への伝達が遮断される。
【０１１３】
ここで、リボン送り用モータ３０が反時計方向に回転すると、供給ロール４およびリボン送りローラ２８によって、リボン巻戻し方向へインクリボン３が送られるため、巻取ロール５は、リボン巻戻し方向（すなわち、時計方向）へ回転する。巻取ロール５が時計方向へ回転すると、巻取ロール５と一緒に連結部５９および回転軸６１も時計方向へ回転する。本形態では、巻取ロール５の筒部５ｂの外径がリボン送りローラ２８の外径よりも大きくなっており、巻取ロール５と一緒に時計方向へ回転する回転軸６１の回転速度は、リボン送り用モータ３０の動力で回転する歯車６７の回転速度よりも遅くなっている。そのため、歯車６７と回転軸６１との間で駆動力の干渉は生じない。
【０１１４】
（インクリボンの検知機構の構成）
図１８（Ａ）は、図５に示すインクリボン３の検知機構９６の構成を側面から説明するための図であり、図１８（Ｂ）は、図１８（Ａ）のＫ−Ｋ方向から検知機構９６を示す図である。
【０１１５】
印刷装置１は、インクリボン３を検知するための検知機構９６を備えている。検知機構９６は、インクリボンカセット２６を構成するケース本体３７のカバー部３７ａに固定される２個のプリズム４５と、本体部７に取り付けられる２個のセンサ９７とを備えている。センサ９７は、発光部９７ａと、発光部９７ａから射出されプリズム４５で反射された光を受光する受光部９７ｂとを有する光学式のセンサである。発光部９７ａと受光部９７ｂとは、左右方向で隣り合うように配置されている。
【０１１６】
センサ９７は、カートリッジ６が本体部７に取り付けられた状態におけるプリズム４５の下側に配置されている。カートリッジ６が本体部７に取り付けられると、供給ロール４から引き出されるインクリボン３は、上下方向において、プリズム４５とセンサ９７との間に挟まれる。本形態では、受光部９７ｂでの受光量に基づいて、インクリボン３が検知される。
【０１１７】
（リボン送り機構の制御方法）
リボン送り機構１０は、１枚のカード２への印刷が終了すると、インクリボン３に形成されるインクの剥離跡が、インクリボンカセット２６のカバー部３７ｂの中に入るまでリボン巻取方向へインクリボン３を送る。また、リボン送り機構１０は、次の１枚のカード２の印刷時に、前の１枚のカード２への印刷終了後の送り量以下の送り量でリボン巻戻し方向へインクリボン３を送る。
【０１１８】
本形態では、１個の１画面領域３ｃを用いて１枚のカード２への印刷が行われており、リボン送り機構１０は、１枚のカード２への印刷後、１画面領域３ｃの１個分以上の送り量でリボン巻取方向へインクリボン３を送る。たとえば、リボン送り機構１０は、１枚のカード２への印刷後、１画面領域３ｃの１個分または２個分の送り量で、リボン巻取方向へインクリボン３を送る。また、リボン送り機構１０は、次の１枚のカード２の印刷時に、前のカード２の印刷時に使用された１画面領域３ｃの次の未使用の１画面領域３ｃの基準位置とカード２の基準位置とが合うように、リボン巻戻し方向へインクリボン３を送る。
【０１１９】
（本形態の主な効果）
以上説明したように、本形態では、カートリッジ本体部２７からインクリボンカセット２６が取り外されている状態では、圧縮コイルバネ４４の付勢力によって、歯車５ｈと歯止め３７ｈとが係合しており、リボン巻戻し方向へ巻取ロール５を回転させることはできない。そのため、本形態では、カートリッジ本体部２７からインクリボンカセット２６が取り外されているときに、カバー部３７ｂの中から巻取ロール５に巻回された使用済みのインクリボン３（すなわち、インクの剥離跡が形成されたインクリボン３）を引き出すことはできない。
【０１２０】
また、本形態では、圧縮コイルバネ４４の付勢力に抗して、巻取ロール５を右側へ移動させると、歯車５ｈと歯止め３７ｈとの係合状態が解除されて、リボン巻取方向およびリボン巻戻し方向の両方向へ巻取ロール５を回転させることが可能になるが、巻取ロール５をさらに右側へ移動させると、歯車５ｇと歯止め３８ｅとが係合して、リボン巻戻し方向およびリボン巻取方向へ巻取ロール５を回転させることはできなくなる。そのため、本形態では、カートリッジ本体部２７からインクリボンカセット２６が取り外されているときに、所定の部材を用いて、巻取ロール５を右側へ移動させても、歯車５ｇと歯止め３８ｅとが係合しないように、巻取ロール５を移動させなければ、カバー部３７ｂの中から巻取ロール５に巻回された使用済みのインクリボン３を引き出すことができない。したがって、本形態では、カートリッジ本体部２７からインクリボンカセット２６が取り外された状態において、カバー部３７ｂの中から巻取ロール５に巻回された使用済みのインクリボン３を引き出すことが従来よりも難しくなる。その結果、本形態では、従来よりもセキュリティー性を高めることが可能になる。
【０１２１】
本形態では、カートリッジ本体部２７からインクリボンカセット２６が取り外されている状態では、圧縮コイルバネ４１の付勢力によって、供給ロール４の第１内側筒部の歯車と内側筒部３７ｍの歯止めとが係合しており、リボン巻取方向へ供給ロール４を回転させることはできない。すなわち、本形態では、カートリッジ本体部２７からインクリボンカセット２６が取り外されている状態では、所定の部材を用いて、供給ロール４を所定量だけ右側へ移動させなければ、供給ロール４に巻回されたインクリボン３を引き出すことはできない。そのため、本形態では、カートリッジ本体部２７からインクリボンカセット２６が取り外されているときのインクリボン３のたるみを防止することが可能になる。
【０１２２】
本形態では、歯車５ｈと歯止め３７ｈとによって構成される回転防止機構４６はラチェット機構であり、圧縮コイルバネ４４の付勢力によって歯車５ｈと歯止め３７ｈとが係合していても、リボン巻取方向への巻取ロール５の回転は可能となっている。また、本形態では、供給ロール４の第１内側筒部の歯車と内側筒部３７ｍの歯止めとによって構成される第３回転防止機構はラチェット機構であり、圧縮コイルバネ４１の付勢力によって供給ロール４の第１内側筒部の歯車と内側筒部３７ｍの歯止めとが係合していても、リボン巻戻し方向への供給ロール４の回転は可能となっている。そのため、本形態では、カートリッジ本体部２７からインクリボンカセット２６が取り外された状態において、仮に、供給ロール４と巻取ロール５との間のインクリボン３がたるんでも、リボン巻取方向へ巻取ロール５を回転させて、あるいは、リボン巻戻し方向へ供給ロール４を回転させて、インクリボン３のたるみを解消することが可能になる。
【０１２３】
本形態では、カートリッジ本体部２７にインクリボンカセット２６が取り付けられて、巻取側係合部５５が巻取ロール５に係合すると、歯車５ｈと歯止め３７ｈとの係合が解除される。すなわち、本形態では、カートリッジ本体部２７にインクリボンカセット２６が取り付けられると、自動的に、歯車５ｈと歯止め３７ｈとの係合が解除される。そのため、本形態では、歯車５ｈと歯止め３７ｈとの係合の解除が容易になる。また、本形態では、カートリッジ本体部２７にインクリボンカセット２６が取り付けられて、供給側係合部５４が供給ロール４に係合すると、供給ロール４の第１内側筒部の歯車と内側筒部３７ｍの歯止めとの係合が自動的に解除される。そのため、本形態では、供給ロール４の第１内側筒部の歯車と内側筒部３７ｍの歯止めとの係合の解除が容易になる。
【０１２４】
また、本形態では、巻取ロール５を回転させるための巻取側係合部５５を用いて歯車５ｈと歯止め３７ｈとの係合を解除することができるため、歯車５ｈと歯止め３７ｈとの係合を解除するための部材を別途、設ける必要がない。また、供給ロール４を回転させるための供給側係合部５４を用いて供給ロール４の第１内側筒部の歯車と内側筒部３７ｍの歯止めとの係合を解除することができるため、供給ロール４の第１内側筒部の歯車と内側筒部３７ｍの歯止めとの係合を解除するための部材を別途、設ける必要がない。したがって、本形態では、カートリッジ６の構成を簡素化することが可能になる。
【０１２５】
本形態では、カートリッジ本体部２７に、リボン巻戻し方向への巻取ロール５の回転を防止する回転防止機構７８が設けられている。そのため、本形態では、カートリッジ本体部２７にインクリボンカセット２６が取り付けられることで、歯車５ｈと歯止め３７ｈとの係合が自動的に解除されても、カバー部３７ｂの中から巻取ロール５に巻回された使用済みのインクリボン３が引き出されるのを防止することが可能になる。すなわち、本形態では、インクリボンカセット２６がカートリッジ本体部２７に取り付けられた状態であっても、カバー部３７ｂの中から使用済みのインクリボン３が引き出されるのを防止することが可能になる。
【０１２６】
（他の実施の形態）
上述した形態は、本発明の好適な形態の一例ではあるが、これに限定されるものではなく本発明の要旨を変更しない範囲において種々変形実施が可能である。
【０１２７】
上述した形態では、回転防止機構４６は、リボン巻戻し方向への巻取ロール５の回転のみを防止するラチェット機構であり、歯車５ｈを構成する複数の歯および歯止め３７ｈは、歯車５ｈと歯止め３７ｈとが係合していても、リボン巻取方向への巻取ロール５の回転が可能となるように形成されている。この他にもたとえば、歯車５ｈを構成する複数の歯および歯止め３７ｈは、歯車５ｈと歯止め３７ｈとが係合しているときに、リボン巻取方向への巻取ロール５の回転を防止するように形成されても良い。
【０１２８】
同様に、上述した形態では、供給ロール４の第１内側筒部の歯車と内側筒部３７ｍの歯止めとによって構成される第３回転防止機構は、リボン巻取方向への供給ロール４の回転のみを防止するラチェット機構であり、供給ロール４の第１内側筒部の歯車と内側筒部３７ｍの歯止めは、この歯車とこの歯止めとが係合していても、リボン巻戻し方向への供給ロール４の回転が可能となるように形成されているが、供給ロール４の第１内側筒部の歯車と内側筒部３７ｍの歯止めは、この歯車とこの歯止めとが係合しているときに、リボン巻戻し方向への供給ロール４の回転を防止するように形成されても良い。
【０１２９】
また、上述した形態では、回転防止機構７８は、リボン巻戻し方向への巻取ロール５の回転のみを防止するラチェット機構であり、歯車７９と爪部材８０とは、歯車７９と爪部材８０とが係合していても、リボン巻取方向への巻取ロール５の回転が可能となるように形成されているが、歯車７９と爪部材８０とは、歯車７９と爪部材８０とが係合しているときに、リボン巻取方向への巻取ロール５の回転を防止するように形成されても良い。
【０１３０】
上述した形態では、回転防止機構４７の歯車５ｇを構成する複数の歯および歯止め３８ｅは、歯車５ｇと歯止め３８ｅとが係合しているときに、リボン巻戻し方向およびリボン巻取方向への巻取ロール５の回転を防止するように形成されている。この他にもたとえば、回転防止機構４７がラチェット機構であって、歯車５ｇを構成する複数の歯および歯止め３８ｅは、歯車５ｇと歯止め３８ｅとが係合しているときに、リボン巻戻し方向への巻取ロール５の回転を防止するが、リボン巻取方向への巻取ロール５の回転を許容するように形成されても良い。
【０１３１】
同様に、上述した形態では、第４回転防止機構の、供給ロール４の底部の歯車を構成する複数の歯および筒部３８ｆの歯止めは、この歯車とこの歯止めとが係合しているときに、リボン巻戻し方向およびリボン巻取方向への供給ロール４の回転を防止するように形成されているが、第４回転防止機構がラチェット機構であって、供給ロール４の底部の歯車を構成する複数の歯および筒部３８ｆの歯止めは、この歯車とこの歯止めとが係合しているときに、リボン巻取方向への供給ロール４の回転を防止するが、リボン巻戻し方向への供給ロール４の回転を許容するように形成されても良い。
【０１３２】
上述した形態では、回転防止機構４６を構成する歯止め３７ｈは、円環部３７ｇの右面から右側へ突出するように形成され、歯車５ｈは、第１内側筒部５ｃの左側へ突出するように形成されている。すなわち、上述した形態では、歯止め３７ｈおよび歯車５ｈは、巻取ロール５の軸方向に突出するように形成されている。この他にもたとえば、歯止め３７ｈまたは歯車５ｈの一方が巻取ロール５の径方向の内側へ突出するように形成され、歯止め３７ｈまたは歯車５ｈの他方が巻取ロール５の径方向の外側へ突出するように形成されても良い。同様に、内側筒部３７ｍの歯止めまたは供給ロール４の第１内側筒部の歯車の一方が供給ロール４の径方向の内側へ突出するように形成され、内側筒部３７ｍの歯止めまたは供給ロール４の第１内側筒部の歯車の他方が供給ロール４の径方向の外側へ突出するように形成されても良い。また、歯止め３８ｅまたは歯車５ｇの一方が巻取ロール５の径方向の内側へ突出するように形成され、歯止め３８ｅまたは歯車５ｇの他方が巻取ロール５の径方向の外側へ突出するように形成されても良い。また、筒部３８ｆの歯止めまたは供給ロール４の底部の歯車の一方が供給ロール４の径方向の内側へ突出するように形成され、筒部３８ｆの歯止めまたは供給ロール４の底部の歯車の他方が供給ロール４の径方向の外側へ突出するように形成されても良い。
【０１３３】
上述した形態では、カートリッジ本体部２７に取り付けられたインクリボンカセット２６が本体部７に着脱可能となっている。すなわち、上述した形態では、カートリッジ６が本体部７に着脱可能となっている。この他にもたとえば、インクリボンカセット２６が、本体部７に直接、着脱可能となるように、本体部７が構成されても良い。なお、この場合には、インクリボンカセット２６が本体部７の右側に向かって本体部７から取り外され、また、インクリボンカセット２６が本体部７の右側から本体部７に取り付けられる。そのため、たとえば、カード発行装置等の上位装置に印刷装置１が搭載される場合に、印刷装置１の右側にインクリボンカセット２６を交換するためのスペースを設けなければならない。これに対して、上述した形態では、カートリッジ６が本体部７の上側に向かって本体部７から取り外され、また、カートリッジ６が本体部７の上側から本体部７に取り付けられるため、印刷装置１の右側にスペースを設ける必要がない。そのため、印刷装置１のレイアウトの自由度が高くなる。
【０１３４】
上述した形態では、巻取ロール５を回転させるための巻取側係合部５５を用いて、歯車５ｈと歯止め３７ｈとの係合が解除されている。この他にもたとえば、歯車５ｈと歯止め３７ｈとの係合を解除するための部材を別途、設けても良い。また、上述した形態では、供給ロール４を回転させるための供給側係合部５４を用いて、供給ロール４の第１内側筒部の歯車と内側筒部３７ｍの歯止めとの係合を解除しているが、供給ロール４の第１内側筒部の歯車と内側筒部３７ｍの歯止めとの係合を解除するための部材を別途、設けても良い。
【０１３５】
上述した形態では、供給ロール４は、圧縮コイルバネ４１によって左側へ付勢されている。この他にもたとえば、供給ロール４は、引張りコイルバネや板バネ等の他のバネ部材によって左側へ付勢されても良い。同様に、上述した形態では、巻取ロール５は、圧縮コイルバネ４４によって左側へ付勢されているが、巻取ロール５は、引張りコイルバネや板バネ等の他のバネ部材によって左側へ付勢されても良い。
【０１３６】
上述した形態では、供給ロール４側に、第３回転防止機構および第４回転防止機構が設けられているが、供給ロール４側に、第３回転防止機構および第４回転防止機構が設けられていなくても良い。また、上述した形態では、供給ロール４に巻回されたインクリボン３は、カバー部３７ａによって覆われているが、供給ロール４に巻回されたインクリボン３は、カバー部３７ａに覆われずに露出していても良い。
【０１３７】
上述した形態では、インクリボン３は、単色の印刷のみが可能なものであるが、インクリボン３は、複数色の印刷が可能なものであっても良い。また、上述した形態では、インクリボン３は、オーバーコート領域３ｂを備えているが、インクリボン３は、オーバーコート領域３ｂを備えていなくても良い。また、上述した形態では、印刷装置１で印刷される印刷媒体は、カード２であるが、印刷装置１で印刷される印刷媒体は、印刷用紙等のカード２以外のものであっても良い。
【符号の説明】
【０１３８】
１  印刷装置
２  カード（印刷媒体）
３  インクリボン
４  供給ロール
５  巻取ロール
５ｇ  歯車（第２ロール側係合部）
５ｈ  歯車（第１ロール側係合部）
６  カートリッジ（インクリボンカートリッジ）
７  本体部
９  サーマルヘッド
１７  カード搬送路（媒体搬送路）
２６  インクリボンカセット
２７  カートリッジ本体部
３６  ケース体
３７ａ  カバー部（供給側カバー部）
３７ｂ  カバー部（巻取側カバー部）
３７ｈ  歯止め（第１ケース側係合部）
３８ｅ  歯止め（第２ケース側係合部）
４１  圧縮コイルバネ（第２付勢部材）
４４  圧縮コイルバネ（第１付勢部材）
４６  回転防止機構（第１回転防止機構）
４７  回転防止機構（第２回転防止機構）
５４  供給側係合部
５５  巻取側係合部
７８  回転防止機構（第５回転防止機構）
【図１】
2014104743.tif 000003
【図２】
2014104743.tif 000004
【図３】
2014104743.tif 000005
【図４】
2014104743.tif 000006
【図５】
2014104743.tif 000007
【図６】
2014104743.tif 000008
【図７】
2014104743.tif 000009
【図８】
2014104743.tif 000010
【図９】
2014104743.tif 000011
【図１０】
2014104743.tif 000012
【図１１】
2014104743.tif 000013
【図１２】
2014104743.tif 000014
【図１３】
2014104743.tif 000015
【図１４】
2014104743.tif 000016
【図１５】
2014104743.tif 000017
【図１６】
2014104743.tif 000018
【図１７】
2014104743.tif 000019
【図１８】
2014104743.tif 000020